(57)【特許請求の範囲】
【請求項１】
有機ＥＬ素子と、前記有機ＥＬ素子に給電する陽極電極端子及び陰極電極端子とを備える複数の有機ＥＬ照明パネルを電気的に接続してなり、
前記複数の有機ＥＬ照明パネルが、それぞれ、
二つ以上のコンタクト手段を有して少なくとも一つのコンタクト手段が前記陽極電極端子に電気的に接続されるとともに他の一つのコンタクト手段が電源の陰極に電気的に接続される第一コネクタと、
二つ以上のコンタクト手段を有して少なくとも一つのコンタクト手段が前記陰極電極端子に電気的に接続されるとともに他の一つのコンタクト手段が前記電源の陰極に電気的に接続される第二コネクタと、
前記第一コネクタの前記他の一つのコンタクト手段と前記第二コネクタの前記他の一つのコンタクト手段とを電気的に接続するコンタクト間接続線と
を備え、
一方の前記有機ＥＬ照明パネルの前記第一コネクタと他方の前記有機ＥＬ照明パネルの前記第二コネクタとが電気的に接続されるとともに、
直列接続された複数の前記有機ＥＬ照明パネルのうちの前記電源から電気的に最も離れた位置にある前記有機ＥＬ照明パネル、又は、並列接続された全ての前記有機ＥＬ照明パネルが、前記陰極電極端子に電気的に接続される前記コンタクト手段と前記コンタクト間接続線とを電気的に接続する短絡手段を備える有機ＥＬ照明装置であって、
前記第一コネクタが前記陽極電極端子に電気的に接続される二つの前記コンタクト手段及び前記電源の陰極に電気的に接続される一つの前記コンタクト手段からなる三つの前記コンタクト手段を備え、
前記第二コネクタが前記陽極電極端子に電気的に接続される一つの前記コンタクト手段及び前記陰極電極端子に電気的に接続される一つの前記コンタクト手段及び前記電源の陰極に電気的に接続される一つの前記コンタクト手段からなる三つの前記コンタクト手段を備える
ことを特徴とする有機ＥＬ照明装置。
【請求項２】
有機ＥＬ素子と、前記有機ＥＬ素子に給電する陽極電極端子及び陰極電極端子とを備える複数の有機ＥＬ照明パネルを電気的に接続してなり、
前記複数の有機ＥＬ照明パネルが、それぞれ、
二つ以上のコンタクト手段を有して少なくとも一つのコンタクト手段が前記陽極電極端子に電気的に接続されるとともに他の一つのコンタクト手段が電源の陰極に電気的に接続される第一コネクタと、
二つ以上のコンタクト手段を有して少なくとも一つのコンタクト手段が前記陰極電極端子に電気的に接続されるとともに他の一つのコンタクト手段が前記電源の陰極に電気的に接続される第二コネクタと、
前記第一コネクタの前記他の一つのコンタクト手段と前記第二コネクタの前記他の一つのコンタクト手段とを電気的に接続するコンタクト間接続線と
を備え、
一方の前記有機ＥＬ照明パネルの前記第一コネクタと他方の前記有機ＥＬ照明パネルの前記第二コネクタとが電気的に接続されるとともに、
直列接続された複数の前記有機ＥＬ照明パネルのうちの前記電源から電気的に最も離れた位置にある前記有機ＥＬ照明パネル、又は、並列接続された全ての前記有機ＥＬ照明パネルが、前記陰極電極端子に電気的に接続される前記コンタクト手段と前記コンタクト間接続線とを電気的に接続する短絡手段を備える有機ＥＬ照明装置であって、
前記第一コネクタが前記陽極電極端子に電気的に接続される二つの前記コンタクト手段及び前記陰極電極端子に電気的に接続される一つの前記コンタクト手段及び前記電源の陰極に電気的に接続される一つの前記コンタクト手段からなる四つの前記コンタクト手段を備え、
前記第二コネクタが前記陽極電極端子に電気的に接続される一つの前記コンタクト手段及び前記陰極電極端子に電気的に接続される二つの前記コンタクト手段及び前記電源の陰極に電気的に接続される一つの前記コンタクト手段からなる四つの前記コンタクト手段を備える
ことを特徴とする有機ＥＬ照明装置。
【請求項３】
少なくとも一つの前記有機ＥＬ照明パネルが、少なくとも一つの前記第一コネクタと、複数の前記第二コネクタを備える
ことを特徴とする請求項１又は請求項２に記載の有機ＥＬ照明装置。
【請求項４】
有機ＥＬ素子と、前記有機ＥＬ素子に給電する陽極電極端子及び陰極電極端子とを備える複数の有機ＥＬ照明パネルを電気的に接続してなり、
前記複数の有機ＥＬ照明パネルが、それぞれ、
二つ以上のコンタクト手段を有して少なくとも一つのコンタクト手段が前記陽極電極端子に電気的に接続されるとともに他の一つのコンタクト手段が電源の陰極に電気的に接続される第一コネクタと、
二つ以上のコンタクト手段を有して少なくとも一つのコンタクト手段が前記陰極電極端子に電気的に接続されるとともに他の一つのコンタクト手段が前記電源の陰極に電気的に接続される第二コネクタと、
前記第一コネクタの前記他の一つのコンタクト手段と前記第二コネクタの前記他の一つのコンタクト手段とを電気的に接続するコンタクト間接続線と
を備え、
一方の前記有機ＥＬ照明パネルの前記第一コネクタと他方の前記有機ＥＬ照明パネルの前記第二コネクタとが電気的に接続されるとともに、
直列接続された複数の前記有機ＥＬ照明パネルのうちの前記電源から電気的に最も離れた位置にある前記有機ＥＬ照明パネル、又は、並列接続された全ての前記有機ＥＬ照明パネルが、前記陰極電極端子に電気的に接続される前記コンタクト手段と前記コンタクト間接続線とを電気的に接続する短絡手段を備える有機ＥＬ照明装置であって、
前記複数の有機ＥＬ照明パネルのうち、少なくとも一つの有機ＥＬ照明パネルの前記コネクタが有する前記コンタクト手段の数と、少なくとも一つの他の有機ＥＬ照明パネルの前記コネクタが有する前記コンタクト手段の数とが異なる
ことを特徴とする有機ＥＬ照明装置。
【請求項５】
前記有機ＥＬ照明パネルのコネクタ搭載基板が、フレキシブルプリント基板からなる
ことを特徴とする請求項１ないし請求項４のいずれか１項に記載の有機ＥＬ照明装置。
【請求項６】
前記有機ＥＬ照明パネルが立体的に組み立てられた
ことを特徴とする請求項５記載の有機ＥＬ照明装置。
【発明の詳細な説明】
【技術分野】
【０００１】
本発明は、有機ＥＬ照明装置に関する。
【背景技術】
【０００２】
有機ＥＬ照明パネルを設置し点灯させる場合、有機ＥＬ照明パネルを電源と電気的に接続し、有機ＥＬ照明パネルに電力を供給する必要がある。このため、例えば、下記引用文献１においては、複数の有機ＥＬ照明パネルをそれぞれ外部接続部材を用いて設置し、この外部接続部材に有機ＥＬ照明パネル同士の電気的接続も兼ねさせる構成が開示されている。また、例えば、下記引用文献２には、基板に溝を形成し、この溝の底部に電極端子を配置する構成が開示されている。
【先行技術文献】
【特許文献】
【０００３】
【特許文献１】特開２００７−５２４３号公報
【特許文献２】特開２００９−１２９７７１号公報
【発明の概要】
【発明が解決しようとする課題】
【０００４】
しかしながら、上記引用文献１に開示される構成では、有機ＥＬ照明パネルを接続する方向が１方向であり、接続方向を変えるには有機ＥＬ照明パネルの形状自体を変える必要があるという問題がある。
また、上記引用文献１に開示される構成では、有機ＥＬ照明パネルを接続する間隔が一定であり、電極部分の構造が複雑であるため、コストが高いという問題がある。
また、上記引用文献１に開示される構成では、電極部分の露出部分が大きく、有機ＥＬ照明パネルの点灯時に感電する虞があるという問題がある。
【０００５】
また、上記引用文献１に開示される構成では、接続している複数の有機ＥＬ照明パネルのうち一部の有機ＥＬ照明パネルを取り替える場合には、全ての有機ＥＬ照明パネルを外部接続部材の挿入方向に移動させる必要があるという問題がある。
また、上記引用文献１に開示される構成では、装置本体の重量に加え、装置本体に多数の有機ＥＬ照明パネルを収納するため、重量がさらに増加し、取り付け作業が容易でないという問題がある。
また、上記引用文献１に開示される構成では、上記特許文献１の段落［００６２］にあるように、直列、並列接続を選択することが可能であるものの、構造上、複数の有機ＥＬ照明パネルの直列接続と並列接続を同時に実現することができないという問題がある。
【０００６】
そして、上記特許文献２に開示される構成では、感電の虞に対する安全対策として、基板に溝を形成し、この溝の底部に電極端子を配置する構成としているものの、専用の照明器具本体を用意する必要があるため、簡便な構成とは言い難く、取り付け作業に手間が掛かり、コストが高いという問題もある。
【０００７】
以上のことから、本発明は、安全性が高く、電気的接続を容易に行うことができる有機ＥＬ照明装置を提供することを目的とする。
【課題を解決するための手段】
【０００９】
上記の課題を解決するための第１の発明に係る有機ＥＬ照明装置は、有機ＥＬ素子と、前記有機ＥＬ素子に給電する陽極電極端子及び陰極電極端子とを備える複数の有機ＥＬ照明パネルを電気的に接続してなり、前記複数の有機ＥＬ照明パネルが、それぞれ、二つ以上のコンタクト手段を有して少なくとも一つのコンタクト手段が前記陽極電極端子に電気的に接続されるとともに他の一つのコンタクト手段が電源の陰極に電気的に接続される第一コネクタと、二つ以上のコンタクト手段を有して少なくとも一つのコンタクト手段が前記陰極電極端子に電気的に接続されるとともに他の一つのコンタクト手段が前記電源の陰極に電気的に接続される第二コネクタと、前記第一コネクタの前記他の一つのコンタクト手段と前記第二コネクタの前記他の一つのコンタクト手段とを電気的に接続するコンタクト間接続線とを備え、一方の前記有機ＥＬ照明パネルの前記第一コネクタと他方の前記有機ＥＬ照明パネルの前記第二コネクタとが電気的に接続されるとともに、直列接続された複数の前記有機ＥＬ照明パネルのうちの前記電源から電気的に最も離れた位置にある前記有機ＥＬ照明パネル、又は、並列接続された全ての前記有機ＥＬ照明パネルが、前記陰極電極端子に電気的に接続される前記コンタクト手段と前記コンタクト間接続線とを電気的に接続する短絡手段を備える有機ＥＬ照明装置であって、前記第一コネクタが前記陽極電極端子に電気的に接続される二つの前記コンタクト手段及び前記電源の陰極に電気的に接続される一つの前記コンタクト手段からなる三つの前記コンタクト手段を備え、前記第二コネクタが前記陽極電極端子に電気的に接続される一つの前記コンタクト手段及び前記陰極電極端子に電気的に接続される一つの前記コンタクト手段及び前記電源の陰極に電気的に接続される一つの前記コンタクト手段からなる三つの前記コンタクト手段を備えることを特徴とする。
【００１０】
上記の課題を解決するための第２の発明に係る有機ＥＬ照明装置は、有機ＥＬ素子と、前記有機ＥＬ素子に給電する陽極電極端子及び陰極電極端子とを備える複数の有機ＥＬ照明パネルを電気的に接続してなり、前記複数の有機ＥＬ照明パネルが、それぞれ、二つ以上のコンタクト手段を有して少なくとも一つのコンタクト手段が前記陽極電極端子に電気的に接続されるとともに他の一つのコンタクト手段が電源の陰極に電気的に接続される第一コネクタと、二つ以上のコンタクト手段を有して少なくとも一つのコンタクト手段が前記陰極電極端子に電気的に接続されるとともに他の一つのコンタクト手段が前記電源の陰極に電気的に接続される第二コネクタと、前記第一コネクタの前記他の一つのコンタクト手段と前記第二コネクタの前記他の一つのコンタクト手段とを電気的に接続するコンタクト間接続線とを備え、一方の前記有機ＥＬ照明パネルの前記第一コネクタと他方の前記有機ＥＬ照明パネルの前記第二コネクタとが電気的に接続されるとともに、直列接続された複数の前記有機ＥＬ照明パネルのうちの前記電源から電気的に最も離れた位置にある前記有機ＥＬ照明パネル、又は、並列接続された全ての前記有機ＥＬ照明パネルが、前記陰極電極端子に電気的に接続される前記コンタクト手段と前記コンタクト間接続線とを電気的に接続する短絡手段を備える有機ＥＬ照明装置であって、前記第一コネクタが前記陽極電極端子に電気的に接続される二つの前記コンタクト手段及び前記陰極電極端子に電気的に接続される一つの前記コンタクト手段及び前記電源の陰極に電気的に接続される一つの前記コンタクト手段からなる四つの前記コンタクト手段を備え、前記第二コネクタが前記陽極電極端子に電気的に接続される一つの前記コンタクト手段及び前記陰極電極端子に電気的に接続される二つの前記コンタクト手段及び前記電源の陰極に電気的に接続される一つの前記コンタクト手段からなる四つの前記コンタクト手段を備えることを特徴とする。
【００１１】
上記の課題を解決するための第３の発明に係る有機ＥＬ照明装置は、第１又は第２の発明に係る有機ＥＬ照明装置において、少なくとも一つの前記有機ＥＬ照明パネルが、少なくとも一つの前記第一コネクタと、複数の前記第二コネクタを備えることを特徴とする。
【００１２】
上記の課題を解決するための第４の発明に係る有機ＥＬ照明装置は、有機ＥＬ素子と、前記有機ＥＬ素子に給電する陽極電極端子及び陰極電極端子とを備える複数の有機ＥＬ照明パネルを電気的に接続してなり、前記複数の有機ＥＬ照明パネルが、それぞれ、二つ以上のコンタクト手段を有して少なくとも一つのコンタクト手段が前記陽極電極端子に電気的に接続されるとともに他の一つのコンタクト手段が電源の陰極に電気的に接続される第一コネクタと、二つ以上のコンタクト手段を有して少なくとも一つのコンタクト手段が前記陰極電極端子に電気的に接続されるとともに他の一つのコンタクト手段が前記電源の陰極に電気的に接続される第二コネクタと、前記第一コネクタの前記他の一つのコンタクト手段と前記第二コネクタの前記他の一つのコンタクト手段とを電気的に接続するコンタクト間接続線とを備え、一方の前記有機ＥＬ照明パネルの前記第一コネクタと他方の前記有機ＥＬ照明パネルの前記第二コネクタとが電気的に接続されるとともに、直列接続された複数の前記有機ＥＬ照明パネルのうちの前記電源から電気的に最も離れた位置にある前記有機ＥＬ照明パネル、又は、並列接続された全ての前記有機ＥＬ照明パネルが、前記陰極電極端子に電気的に接続される前記コンタクト手段と前記コンタクト間接続線とを電気的に接続する短絡手段を備える有機ＥＬ照明装置であって、前記複数の有機ＥＬ照明パネルのうち、少なくとも一つの有機ＥＬ照明パネルの前記コネクタが有する前記コンタクト手段の数と、少なくとも一つの他の有機ＥＬ照明パネルの前記コネクタが有する前記コンタクト手段の数とが異なることを特徴とする。
【００１３】
上記の課題を解決するための第５の発明に係る有機ＥＬ照明装置は、第１ないし第４のいずれか一つの発明に係る有機ＥＬ照明装置において、前記有機ＥＬ照明パネルのコネクタ搭載基板が、フレキシブルプリント基板からなることを特徴とする。
【００１４】
上記の課題を解決するための第６の発明に係る有機ＥＬ照明装置は、第５の発明に係る有機ＥＬ照明装置において、前記有機ＥＬ照明パネルが立体的に組み立てられたことを特徴とする。
【発明の効果】
【００１５】
本発明によれば、安全性が高く、電気的接続を容易に行うことができる有機ＥＬ照明装置を提供することができる。
【図面の簡単な説明】
【００１６】
【図１】本発明の第１の実施例に係る有機ＥＬ照明装置の構成を示した模式図である。
【図２】本発明の第１の実施例に係る有機ＥＬ照明装置の回路図である。
【図３】図３（ａ）は本発明の第１の実施例に係る有機ＥＬ照明パネル本体の構成を模式的に示した上面図、図３（ｂ）は図３（ａ）の斜視図である。
【図４】図４（ａ）は本発明の第１の実施例に係る有機ＥＬ照明パネルのコネクタ搭載回路基板の構成を模式的に示した上面図、図４（ｂ）は図４（ａ）の斜視図である。
【図５】図５（ａ）は本発明の第１の実施例に係る有機ＥＬ照明パネルの構成を模式的に示した上面図、図５（ｂ）は図５（ａ）の斜視図である。
【図６】本発明の第１の実施例に係る有機ＥＬ照明装置における各有機ＥＬ照明パネル間の接続前の状態を示した模式図である。
【図７】本発明の第１の実施例に係る有機ＥＬ照明装置における各有機ＥＬ照明パネル間の接続後の状態を示した模式図である。
【図８】本発明の第２の実施例に係る有機ＥＬ照明装置における直列接続時の構成を示した模式図である。
【図９】本発明の第２の実施例に係る有機ＥＬ照明装置における直列接続時の回路図である。
【図１０】本発明の第２の実施例に係る有機ＥＬ照明装置における並列接続時の構成を示した模式図である。
【図１１】本発明の第２の実施例に係る有機ＥＬ照明装置における並列接続時の回路図である。
【図１２】本発明の第３の実施例に係る有機ＥＬ照明装置の構成を示した模式図である。
【図１３】本発明の第３の実施例に係る有機ＥＬ照明装置の回路図である。
【図１４】本発明の第４の実施例に係る有機ＥＬ照明装置の構成を示した模式図である。
【図１５】本発明の第４の実施例に係る有機ＥＬ照明装置の回路図である。
【図１６】本発明の第５の実施例に係る有機ＥＬ照明装置の構成を示した模式図である。
【図１７】本発明の第５の実施例に係る有機ＥＬ照明装置の回路図である。
【図１８】本発明の第５の実施例に係る有機ＥＬ照明装置の構成を示した模式図である。
【図１９】図１８のＩ−Ｉ断面図の一例である。
【図２０】図１８のＩ−Ｉ断面図の他の例である。
【図２１】本発明の第６の実施例に係る有機ＥＬ照明装置の構成を模式的に示した上面図である。
【図２２】図２１の斜視図である。
【図２３】本発明の第６の実施例に係る他の有機ＥＬ照明装置の構成を示した模式図である。
【図２４】本発明の第６の実施例に係る他の有機ＥＬ照明装置の構成を示した上面図である。
【発明を実施するための形態】
【００１７】
以下、本発明に係る有機ＥＬ照明装置について、図面を参照しながら説明する。
【実施例１】
【００１８】
図１〜図７を用いて本発明に係る有機ＥＬ照明装置の第１の実施例について説明する。
【００１９】
はじめに、本実施例に係る有機ＥＬ照明装置における有機ＥＬ照明パネルの構成について説明する。
図１は、本実施例に係る有機ＥＬ照明装置の構成を示した模式図である。
図１に示すように、本実施例に係る有機ＥＬ照明装置は、三つの有機ＥＬ照明パネル（以下、第一〜第三有機ＥＬ照明パネルという）１１〜１３を備えている。
【００２０】
以下、本実施例に係る第一〜第三有機ＥＬ照明パネル１１〜１３の構成において、例えば、上記特許文献１，２に開示されている従来周知の有機ＥＬ照明パネルの構成と同様の構成については詳細な説明は適宜省略し、異なる点を中心に説明するものとする。
【００２１】
本実施例に係る有機ＥＬ照明装置において、第一〜第三有機ＥＬ照明パネル１１〜１３は、それぞれ有機ＥＬ素子１１ａ〜１３ａと、有機ＥＬ素子１１ａ〜１３ａに給電するための陽極電極端子１１ｂ〜１３ｂ及び陰極電極端子１１ｃ〜１３ｃとを備えている。
【００２２】
第一〜第三有機ＥＬ照明パネル１１〜１３上にはそれぞれ二つのコンタクト手段としてのコンタクトピンを有する二つのコネクタ（以下、第一コネクタ、第二コネクタという）１，２が一対設けられている。
ここで、コンタクト手段とはコネクタ間の電気的な接続を行う手段である。一例としては、ヒロセ電機製のＤＦ５７あるいはＤＦ５９シリーズ等のように上下方向に抜き差しを行うコネクタや、日本圧着端子製のＬＥＡコネクタのように横方向からスライドさせることにより抜き差しを行うコネクタ等に適用されている接続手段が挙げられる。これは以下の実施例においても同様である。
【００２３】
第一〜第三有機ＥＬ照明パネル１１〜１３の各第一コネクタ１の一方のコンタクトピン（以下、陽極用コンタクトピンという）１ａは、それぞれ陽極電極端子１１ｂ〜１３ｂと電気的に接続されている。
第一〜第三有機ＥＬ照明パネル１１〜１３の各第二コネクタ２の一方のコンタクトピン（以下、陰極用コンタクトピンという）２ａは、それぞれ陰極電極端子１１ｃ〜１３ｃと電気的に接続されている。
第一〜第三有機ＥＬ照明パネル１１〜１３の各第一コネクタ１の他方のコンタクトピン（以下、第一コネクタ側コンタクトピンという）１ｂと、第二コネクタ２の他方のコンタクトピン（以下、第二コネクタ側コンタクトピンという）２ｂとは、図中一点鎖線で示すコンタクトピン間接続線７により電気的に接続されている。
なお、コンタクトピン間接続線７は第一、第二コネクタ１，２を実装している回路基板上に配置されており、この回路パターンは例えば回路基板上に配置された銅メッキのエッチング等で作製可能である。また、図中の黒丸は後述する短絡手段としての短絡ピン８を必要に応じて取り付けるための部品（例えば、図４，５に示すピン１０）である。
ここで、短絡手段とは、異なる線毎の電気的接続を行う手段であり、一例として、マックエイト製ジャンプソケットＪＳ−１等に適用されている接続手段が挙げられる。ハンダ付け等による短絡により線毎の電気的接続を行うのに比較して、短絡の有無を容易に制御可能となる利点がある。これは以下の実施例においても同様である。
【００２４】
ここで、本実施例においては、図中、後述する電源９の陽極及び第一〜第三有機ＥＬ照明パネル１１〜１３の陽極電極端子１１ｂ〜１３ｂと電気的に接続される陽極用コンタクトピン１ａを『白』で示し、第一〜第三有機ＥＬ照明パネル１１〜１３の陰極電極端子１１ｃ〜１３ｃと電気的に接続される陰極用コンタクトピン２ａを『黒』で示し、後述する電源９の陰極と電気的に接続される第一コネクタ側コンタクトピン１ｂ及び第二コネクタ側コンタクトピン２ｂを『斜線』により示すこととする。
【００２５】
次に、図３〜図５を用いて本実施例における陽極電極端子１１ｂ〜１３ｂ及び陰極電極端子１１ｃ〜１３ｃと、陽極用コンタクトピン１ａ及び陰極用コンタクトピン２ａとをそれぞれ電気的に接続する方法の一例を説明する。図３（ａ）は本実施例に係る有機ＥＬ照明パネル本体の構成を示す模式図、図３（ｂ）は本実施例に係る有機ＥＬ照明パネル本体の構成を示す斜視図、図４（ａ）は本実施例に係るコネクタ搭載回路基板の構成を示す模式図、図４（ｂ）は本実施例に係るコネクタ搭載回路基板の構成を示す斜視図、図５（ａ）は本実施例に係る有機ＥＬ照明パネルの構成を示す模式図、図５（ｂ）は本実施例に係る有機ＥＬ照明パネルの構成を示す斜視図である。なお、ここでは第一有機ＥＬ照明パネル１１を例に説明するが、第二有機ＥＬ照明パネル１２、第三有機ＥＬ照明パネル１３についても同様の構成となっているものとする。
【００２６】
図３〜図５に示すように、本実施例においては、図３に示す有機ＥＬ照明パネル本体１１Ａに、図４に示すコネクタ搭載回路基板１１Ｂを組み付けることにより図５に示すような有機ＥＬ照明パネル１１を構成している。
【００２７】
より詳しくは、図３に示すように、有機ＥＬ照明パネル本体１１Ａにおいて、陽極電極端子１１ｂはガラス基板１１ｅ上の二辺にそれぞれ設けられ、陰極電極端子１１ｃはガラス基板１１ｅ上の四隅を含む他の二辺にそれぞれ設けられている。そして、ガラス基板１１ｅ上には酸素や水等による有機ＥＬ素子１１ａの性能劣化を防止する目的で、有機ＥＬ素子１１ａを覆うように封止缶１１ｆが設けられている。
【００２８】
なお、本実施例においては、基板としてガラス基板１１ｅを用いる例を示したが、これ以外にも、プラスチックや金属やセラミック等の材料を基板として用いることも可能である。
また、有機ＥＬ素子１１ａを覆うように封止缶１１ｆを設ける例を示したが、封止缶１１ｆに代えて、封止用ガラス基板を接着層を介してガラス基板１１ｅに張り合わせる、又は、酸素や水の浸入を防止する膜（封止膜）により有機ＥＬ素子１１ａを覆うなど、酸素や水等による有機ＥＬ素子１１ａの性能劣化を防止することができれば封止缶１１ｆ以外のものを用いてもよい。
【００２９】
また、図４に示すように、コネクタ搭載回路基板１１Ｂは、一対の第一コネクタ１及び第二コネクタ２を搭載するとともに、有機ＥＬ照明パネル本体１１Ａを組み込むための開口部１１ｄと、陽極電極端子１１ｂに均等に給電するために設けられた図中二点鎖線で示す陽極配線１１ｇと、陰極電極端子１１ｃに均等に給電するために設けられた図中破線で示す陰極配線１１ｈとを有して枠状に形成されている。
配線基板１の裏面であって、陽極電極端子１１ｂと対応する位置に陽極電極端子１１ｂと接続される陽極配線１１ｇが形成され、陰極電極端子１１ｃと対応する位置に陰極電極端子１１ｃと接続される陰極配線１１ｈが形成されている。
このコネクタ搭載回路基板１１Ｂは、例えばガラスエポキシ基板やＦＰＣ（Ｆｌｅｘｉｂｌｅ  ｐｒｉｎｔｅｄ  ｃｉｒｃｕｉｔｓ）等のフレキシブル基板に両面配線等を施すことによって陽極電極端子１１ｂ及び陰極電極端子１１ｃと第一コネクタ１及び第二コネクタ２との電気的な接続を可能としている。
【００３０】
なお、図５に示したように、実際の有機ＥＬ素子１１ａは封止缶１１ｆに覆われ、実際の陽極電極端子１１ｂ及び陰極電極端子１１ｃはコネクタ搭載回路基板１１Ｂに覆われているが、本実施例では、図面上に有機ＥＬ素子１１ａ、陽極電極端子１１ｂ及び陰極電極端子１１ｃを表示したほうが説明上都合がよいため、これを表示している。これは第二有機ＥＬ照明パネル１２、第三有機ＥＬ照明パネル１３についても同様である。
【００３１】
また、本実施例においては、第一コネクタ１及び第二コネクタ２として、例えば広く一般に用いられている幅約２〜３ｍｍ程度の２つのピンを備えた表面実装タイプの２ピンコネクタ（２Ｐコネクタ）を用いることとする。これにより、本実施例においては、陽極電極端子１１ｂ〜１３ｂ及び陰極電極端子１１ｃ〜１３ｃとコネクタ１，２との間にハンダペーストを介し、リフロー炉を通すことにより、ハンダを溶融させて、陽極電極端子１１ｂ〜１３ｂ及び陰極電極端子１１ｃ〜１３ｃとコネクタ１，２とを電気的に接続することができる。
【００３２】
以上が本実施例に係る有機ＥＬ照明装置における有機ＥＬ照明パネルの構成についての説明である。
【００３３】
次に、図６及び図７を用いて本実施例に係る有機ＥＬ照明装置における第一〜第三有機ＥＬ照明パネル１１〜１３間の接続方法を、第一有機ＥＬパネル１１と第二有機ＥＬパネル１２との間の接続方法を一例として説明する。
図６は、本実施例に係る有機ＥＬ照明装置における各有機ＥＬ照明パネル間の接続前の状態を示した模式図である。また、図７は、本実施例に係る有機ＥＬ照明装置における各有機ＥＬ照明パネル間の接続後の状態を示した模式図である。なお、ここでは第一有機ＥＬパネル１１と第二有機ＥＬパネル１２との間の接続方法を一例として説明するが、第二有機ＥＬパネル１２と第三有機ＥＬ照明パネル１３との間の接続についても同様の方法で行うものとする。
【００３４】
図６及び図７に示すように、本実施例においては、ケーブル６０を用いて第一有機ＥＬ照明パネル１１と第二有機ＥＬパネル１２との間の電気的接続を行う。ケーブル６０は、第一ケーブル側コネクタ６１及び第二ケーブル側コネクタ６２から構成されている。第一ケーブル側コネクタ６１には、二つのコンタクト６１ａ，６１ｂが設けられている。第二ケーブル側コネクタ６２には、二つのコンタクト６２ａ，６２ｂが設けられている。第一ケーブル側コネクタ６１のコンタクト６１ａ，６１ｂと、第二ケーブル側コネクタ６２のコンタクト６２ａ，６２ｂとは、それぞれコンタクト間接続線６３により電気的に接続されている。
【００３５】
例えば、第一有機ＥＬ照明パネル１１と、第二有機ＥＬ照明パネル１２とを接続する場合、ケーブル６０の第一ケーブル側コネクタ６１と、第一有機ＥＬ照明パネル１１の第二コネクタ２とを接続し、ケーブル６０の第二ケーブル側コネクタ６２と、第二有機ＥＬ照明パネル１２の第一コネクタ１とを接続する。これにより、第一有機ＥＬ照明パネル１１と、第二有機ＥＬ照明パネル１２とが電気的に接続される。
【００３６】
ここで、本実施例において、第一ケーブル側コネクタ６１及び第二ケーブル側コネクタ６２は、第一コネクタ１及び第二コネクタに上方からはめ込むように取り付けられる。また、ケーブル６０の配線５３の長さは、第一有機ＥＬ照明パネル１１と第二有機ＥＬ照明パネル１２との間の設置間隔に合わせて適宜変更することが可能である。
【００３７】
なお、図１においては簡単のため第一ケーブル側コネクタ６１及び第二ケーブル側コネクタ６２の図示を省略し、配線５３のみを示しており、以下の説明においても第一ケーブル側コネクタ６１及び第二ケーブル側コネクタ６２については説明を省略するものとする。
【００３８】
次に、本実施例に係る有機ＥＬ照明装置の構成について説明する。
図１に示すように、本実施例に係る有機ＥＬ照明装置において、第一有機ＥＬ照明パネル１１の陽極用コンタクトピン１ａは、電源９の陽極と電気的に接続されている。
第一有機ＥＬ照明パネル１１の第一コネクタ側コンタクトピン１ｂは電源９の陰極と電気的に接続されている。
なお、本実施例においては、第一有機ＥＬ照明パネル１１の第一コネクタ１と電源９との間の電気的接続は、リード線等により行うこととする。
【００３９】
第一有機ＥＬ照明パネル１１の陰極用コンタクトピン２ａは、第二有機ＥＬ照明パネル１２の陽極用コンタクトピン１ａと電気的に接続されている。
第一有機ＥＬ照明パネル１１の第二コネクタ側コンタクトピン２ｂは、第二有機ＥＬ照明パネル１２の第一コネクタ側コンタクトピン１ｂと電気的に接続されている。
【００４０】
第二有機ＥＬ照明パネル１２の陰極用コンタクトピン２ａは、第三有機ＥＬ照明パネル１３の陽極用コンタクトピン１ａと電気的に接続されている。
第二有機ＥＬ照明パネル１２の第二コネクタ側コンタクトピン２ｂは、第三有機ＥＬ照明パネル１３の第一コネクタ側コンタクトピン１ｂと電気的に接続されている。
【００４１】
第三有機ＥＬ照明パネル１３には、コンタクトピン間接続線７を介して陰極用コンタクトピン２ａとコンタクトピン１ｂ，２ｂとを電気的に接続する短絡ピン８が設置されている。なお、本実施例においては、短絡ピン８として、例えば広く一般に用いられている２ピンの表面実装用ラッピング端子を用いることができる。
【００４２】
第三有機ＥＬ照明パネル１３に短絡ピン８を設置することにより、電源９の陽極から第一有機ＥＬ照明パネル１１と第二有機ＥＬ照明パネル１２を経て第三有機ＥＬ照明パネル１３まで流れてきた電流を電源９の陰極に返すことができる。
これにより、図２に示すように、第一有機ＥＬ照明パネル１１、第二有機ＥＬ照明パネル１２及び第三有機ＥＬ照明パネル１３の直列接続を実現することができる。
以上が本実施例に係る有機ＥＬ照明装置の構成についての説明である。
【００４３】
以上、本実施例においては、三つの有機ＥＬ照明パネル１１〜１３を直列に接続する場合を例として説明したが、二つ又は四つ以上の有機ＥＬ照明パネルを直列に接続することも可能である。また、ひとつの有機ＥＬ照明パネルのみを電源９に接続する場合には、その有機ＥＬ照明パネルに短絡ピン８を設置することにより有機ＥＬ照明パネルを点灯させることが可能である。
【００４４】
また、第一、第二コネクタ１，２としては、表面実装タイプのコネクタを用いる例を示したが、上述したコネクタ以外の大きさや形状のコネクタを用いることとしてもよく、また、これ以外にも、リード線を用いて接続する方法や、手作業にてハンダにより接続する方法等を用いることも可能である。
【００４５】
また、本実施例においては、第一ケーブル側コネクタ６１及び第二ケーブル側コネクタ６２として、上方からはめ込む形式のコネクタを用いる例を示したが、横方向から差し込む形式等のコネクタを用いることも可能であり、この他にも、電気的な接続ができるのであれば種々のコネクタ形式を適用することも可能である。
【００４６】
また、本実施例においては、ケーブル６０により第一〜第三有機ＥＬ照明パネル１１〜１３間の電気的接続を行うこととしたが、この他にも、リード線等により電気的に接続するようにすることも可能である。
【００４７】
また、本実施例においては、短絡ピン８として、例えば広く一般に用いられている２ピンの表面実装用ラッピング端子を用いる例を示したが、これ以外の方法により電気的に接続するようにしてもよい。
【００４８】
また、本実施例においては、長方形状の有機ＥＬ照明パネル１１〜１３を用いる場合を例として説明したが、この他にも、正方形状や多角形状や円形状等の有機ＥＬ照明パネルを用いることも可能である。
【００４９】
以上に説明したように、本実施例に係る有機ＥＬ照明装置によれば、第一〜第三有機ＥＬ照明パネル１１〜１３にそれぞれ第一、第二コネクタ１，２を設け、各コネクタ１，２間をケーブル６０により接続する方式としたため、有機ＥＬ照明パネル１１〜１３の形状を変えることなく、有機ＥＬ照明パネル１１〜１３を接続する方向を自由に設定することができる。
【００５０】
また、本実施例に係る有機ＥＬ照明装置によれば、第一〜第三有機ＥＬ照明パネル１１〜１３間においてコネクタ１，２間をケーブル６０により接続する方式であるため、有機ＥＬ照明パネル１１〜１３の構造を変更することなく、有機ＥＬ照明パネル１１〜１３の設置間隔を自由に設定することができる。
【００５１】
また、本実施例に係る有機ＥＬ照明装置によれば、コネクタ１，２、ケーブル６０及び短絡ピン８等の汎用の部品のみを用いる構成であるため、コストが安く、異なる規格の有機ＥＬ照明パネル及び照明用配線との互換性を確保することができる。
【００５２】
また、本実施例に係る有機ＥＬ照明装置によれば、電気的接続部分にコネクタ１，２を用いる構成であり、コンタクトピン１ａ，１ｂの露出部分はほとんどないため、容易に高い安全性を確保することができる。
【００５３】
また、本実施例に係る有機ＥＬ照明装置によれば、接続している複数の有機ＥＬ照明パネル１１〜１３のうち一部の有機ＥＬ照明パネルのみを取り替える場合であっても、全ての有機ＥＬ照明パネル１１〜１３を移動させることなく、一部の有機ＥＬ照明パネルのみを取り替えることができる。
【００５４】
また、本実施例に係る有機ＥＬ照明装置によれば、設置したい場所に直接第一〜第三有機ＥＬ照明パネル１１〜１３を設置した上で、第一〜第三有機ＥＬ照明パネル１１〜１３間の電気的接続を行うことができるため、取り付け作業を簡略化し、コストを安くすることができる。
【実施例２】
【００５５】
図８〜図１１を用いて本発明に係る有機ＥＬ照明装置の第２の実施例について説明する。
【００５６】
はじめに、本実施例に係る有機ＥＬ照明装置における有機ＥＬ照明パネルの構成について説明する。
図８は、本実施例に係る有機ＥＬ照明装置における直列接続時の構成を示した模式図である。また、図１０は、本実施例に係る有機ＥＬ照明装置における並列接続時の構成を示した模式図である。
図８、図１０に示すように、本実施例に係る有機ＥＬ照明装置は、三つの有機ＥＬ照明パネル（以下、第一〜第三有機ＥＬ照明パネルという）２１〜２３を備えている。
【００５７】
以下、本実施例に係る第一〜第三有機ＥＬ照明パネル２１〜２３の構成において、例えば、上記特許文献１，２に開示されている従来周知の有機ＥＬ照明パネルの構成と同様の構成については詳細な説明は適宜省略し、異なる点を中心に説明するものとする。
【００５８】
本実施例に係る有機ＥＬ照明装置において、第一〜第三有機ＥＬ照明パネル２１〜２３は、それぞれ有機ＥＬ素子２１ａ〜２３ａと、有機ＥＬ素子２１ａ〜２３ａに給電するための陽極電極端子２１ｂ〜２３ｂ及び陰極電極端子２１ｃ〜２３ｃとを備えている。
【００５９】
第一〜第三有機ＥＬ照明パネル２１〜２３上にはそれぞれ三つのコンタクト手段としてのコンタクトピンを有する二つのコネクタ（以下、それぞれ第一コネクタ、第二コネクタという）３，４が一対設けられている。
【００６０】
第一〜第三有機ＥＬ照明パネル２１〜２３の各第一コネクタ３の第一のコンタクトピン（以下、第一コネクタ側第一陽極用コンタクトピンという）３ａ、第一コネクタ３の第二のコンタクトピン（以下、第一コネクタ側第二陽極用コンタクトピンという）３ｂ及び第二コネクタ４の第一のコンタクトピン（以下、第二コネクタ側陽極用コンタクトピンという）４ａは、図中二点鎖線で示すコンタクトピン間接続線７により相互に電気的に接続されているとともに、それぞれ陽極電極端子２１ｂ〜２３ｂと電気的に接続されている。
第一〜第三有機ＥＬ照明パネル２１〜２３の各第二コネクタ４の第二のコンタクトピン（以下、第二コネクタ側陰極用コンタクトピンという）４ｂは、陰極電極端子２１ｃ〜２３ｃと電気的に接続されている。
第一〜第三有機ＥＬ照明パネル２１〜２３の各第一コネクタ３の第三のコンタクトピン（以下、第一コネクタ側コンタクトピンという）３ｃと、第二コネクタ４の第三のコンタクトピン（以下、第二コネクタ側コンタクトピンという）４ｃとは、図中一点鎖線で示すコンタクトピン間接続線７により電気的に接続されている。
なお、コンタクトピン間接続線７は第一、第二コネクタ３，４を実装している回路基板上に配置されており、この回路パターンは例えば回路基板上に配置された銅メッキのエッチング等で作製可能である。また、図中の黒丸は後述する短絡手段としての短絡ピン８を必要に応じて取り付けるための部品（例えば、ピン等）である。
【００６１】
なお、図８，１０においては、後述する電源９の陽極及び第一〜第三有機ＥＬ照明パネル２１〜２３の陽極電極端子２１ｂ〜２３ｂと電気的に接続される各陽極用コンタクトピン３ａ，３ｂ，４ａを『白』で示し、第一〜第三有機ＥＬ照明パネル２１〜２３の陰極電極端子２１ｃ〜２３ｃと電気的に接続される第二コネクタ側陰極用コンタクトピン４ｂを『黒』で示し、後述する電源９の陰極と電気的に接続される第一コネクタ側コンタクトピン３ｃ及び第二コネクタ側コンタクトピン４ｃを『斜線』により示すこととする。
また、本実施例においては、第一、第二コネクタ３，４として、広く一般に用いられている幅約２〜３ｍｍ程度の３つのピンを備えた表面実装タイプの３ピンコネクタ（３Ｐコネクタ）を用いることとする。これにより、本実施例においては、陽極電極端子及び陰極電極端子とコネクタとの間にハンダペーストを介し、リフロー炉を通すことにより、ハンダを溶融させて、陽極電極端子及び陰極電極端子とコネクタとを電気的に接続することができる。
【００６２】
以上が本実施例に係る有機ＥＬ照明装置における有機ＥＬ照明パネルの構成についての説明である。
【００６３】
図８及び図９を用いて本実施例に係る有機ＥＬ照明装置における直列接続時の構成について説明する。
なお、本実施例に係る有機ＥＬ照明装置における第一〜第三有機ＥＬ照明パネル２１〜２３の陽極電極端子２１ｂ〜２３ｂ及び陰極電極端子２１ｃ〜２３ｃと第一、第二コネクタ３，４とを電気的に接続する方法については、例えば図３〜図５に示し上述した実施例１の構成において、第一、第二コネクタ１，２に代えて図８、図１０に示す第一、第二コネクタ３，４を用いるものとし、ここでは詳細な説明は省略する。また、本実施例に係る有機ＥＬ照明装置における第一〜第三有機ＥＬ照明パネル２１〜２３間の電気的接続は、第１の実施例と同様の方法により行うこととする。
【００６４】
図８に示すように、本実施例に係る有機ＥＬ照明装置の直列接続時の構成において、第一有機ＥＬ照明パネル２１の第一コネクタ側第二陽極用コンタクトピン３ｂは、電源９の陽極と電気的に接続されている。
第一有機ＥＬ照明パネル２１の第一コネクタ側コンタクトピン３ｃは、電源９の陰極と電気的に接続されている。
なお、本実施例においては、第一有機ＥＬ照明パネル２１の第一コネクタ３と電源９との間の電気的接続は、リード線等により行うこととする。
【００６５】
第一有機ＥＬ照明パネル２１の第二コネクタ側陰極用コンタクトピン４ｂは、第二有機ＥＬ照明パネル２２の第一コネクタ側第二陽極用コンタクトピン３ｂと電気的に接続されている。
第一有機ＥＬ照明パネル２１の第二コネクタ側コンタクトピン４ｃは、第二有機ＥＬ照明パネル２２の第一コネクタ側コンタクトピン３ｃと電気的に接続されている。
【００６６】
第二有機ＥＬ照明パネル２２の第二コネクタ側陰極用コンタクトピン４ｂは、第三有機ＥＬ照明パネル２３の第一コネクタ側第二陽極用コンタクトピン３ｂと電気的に接続されている。
第二有機ＥＬ照明パネル２２の第二コネクタ側コンタクトピン４ｃは、第三有機ＥＬ照明パネル２３の第一コネクタ側コンタクトピン３ｃと電気的に接続されている。
【００６７】
そして、第三有機ＥＬ照明パネル２３には、コンタクトピン間接続線７を介して第二コネクタ側陰極用コンタクトピン４ｂと第一コネクタ側コンタクトピン３ｃ及び第二コネクタ側コンタクトピン４ｃとを電気的に接続する短絡ピン８が設置されている。なお、本実施例においては、短絡ピン８として、広く一般に用いられている２ピンの表面実装用ラッピング端子を用いることができる。
【００６８】
上述したように、第三有機ＥＬ照明パネル２３に短絡ピン８を設置することにより、電源９の陽極から第一有機ＥＬ照明パネル２１と第二有機ＥＬ照明パネル２２とを経て第三有機ＥＬ照明パネル２３まで流れてきた電流を電源９の陰極に返すことができる。
これにより、図９に示すように、第一有機ＥＬ照明パネル２１、第二有機ＥＬ照明パネル２２及び第三有機ＥＬ照明パネル２３の直列接続を実現することができる。
以上が本実施例に係る有機ＥＬ照明装置における直列接続時の構成についての説明である。
【００６９】
図１０及び図１１を用いて本実施例に係る有機ＥＬ照明装置における並列接続時の構成について説明する。
なお、本実施例に係る有機ＥＬ照明装置における第一〜第三有機ＥＬ照明パネル２１〜２３の陽極電極端子２１ｂ〜２３ｂ及び陰極電極端子２１ｃ〜２３ｃと第一、第二コネクタ３，４とを電気的に接続する方法については、例えば図３〜図５に示し上述した実施例１の構成において、第一、第二コネクタ１，２に代えて図８、図１０に示す第一、第二コネクタ３，４を用いるものとし、ここでは詳細な説明は省略する。また、本実施例に係る有機ＥＬ照明装置における第一〜第三有機ＥＬ照明パネル２１〜２３間の電気的接続は、第１の実施例と同様の方法により行うこととする。
【００７０】
図１０に示すように、本実施例に係る有機ＥＬ照明装置の並列接続時の構成において、第一有機ＥＬ照明パネル２１の第一コネクタ側第二陽極用コンタクトピン３ｂは、電源９の陽極と電気的に接続されている。
第一有機ＥＬ照明パネル２１の第一コネクタ側コンタクトピン３ｃは、電源９の陰極と電気的に接続されている。
なお、本実施例においては、第一有機ＥＬ照明パネル２１の第一コネクタ３と電源９との間の電気的接続は、リード線等により行うこととする。
【００７１】
第一有機ＥＬ照明パネル２１の第二コネクタ側陽極用コンタクトピン４ａは、第二有機ＥＬ照明パネル２２の第一コネクタ側第一陽極用コンタクトピン３ａと電気的に接続されている。
第一有機ＥＬ照明パネル２１の第二コネクタ側コンタクトピン４ｃは、第二有機ＥＬ照明パネル２２の第一コネクタ側コンタクトピン３ｃと電気的に接続されている。
【００７２】
第二有機ＥＬ照明パネル２２の第二コネクタ側陽極用コンタクトピン４ａは、第三有機ＥＬ照明パネル２３の第一コネクタ側第一陽極用コンタクトピン３ａと電気的に接続されている。
第二有機ＥＬ照明パネル２２の第二コネクタ側コンタクトピン４ｃは、第三有機ＥＬ照明パネル２３の第一コネクタ側コンタクトピン３ｃと電気的に接続されている。
【００７３】
そして、第一有機ＥＬ照明パネル２１、第二有機ＥＬ照明パネル２２及び第三有機ＥＬ照明パネル２３には、コンタクトピン間接続線７を介して第二コネクタ側陰極用コンタクトピン４ｂと、第一コネクタ側コンタクトピン３ｃ及び第二コネクタ側コンタクトピン４ｃとを電気的に接続する短絡ピン８が設置されている。なお、本実施例においては、短絡ピン８として、広く一般に用いられている２ピンの表面実装用ラッピング端子を用いることができる。
【００７４】
このように、第一〜第三有機ＥＬ照明パネル２１〜２３にそれぞれ短絡ピン８を設置する構成としたことにより、第一〜第三有機ＥＬ照明パネル２１〜２３のそれぞれの陽極電極端子２１ｂ〜２３ｂと陰極電極端子２１ｃ〜２３ｃとの間に印加される電圧を同一にすることができる。
これにより、図１１に示すように、第一〜第三有機ＥＬ照明パネル２１〜２３の並列接続を実現することができる。
以上が本実施例に係る有機ＥＬ照明装置における並列接続時の構成についての説明である。
【００７５】
以上、本実施例においては、三つの有機ＥＬ照明パネル２１〜２３を直列又は並列に接続する場合を例として説明したが、二つ又は四つ以上の有機ＥＬ照明パネルを直列又は並列に接続することも可能である。また、ひとつの有機ＥＬ照明パネルのみを電源９に接続する場合には、その有機ＥＬ照明パネルに短絡ピン８を設置することにより有機ＥＬ照明パネルを点灯させることが可能である。
【００７６】
なお、本実施例においては、第一コネクタ３及び第二コネクタ４として、表面実装タイプのコネクタを用いる場合を例として説明したが、上述したコネクタ以外の大きさや形状のコネクタを用いることとしてもよく、また、これ以外にも、リード線を用いて接続する方法や、手作業にてハンダにより接続する方法等を用いることも可能である。
また、本実施例においては、短絡ピン８として、例えば広く一般に用いられている２ピンの表面実装用ラッピング端子を用いる例を示したが、これ以外の方法により電気的に接続するようにしてもよい。
また、本実施例においては、長方形状の有機ＥＬ照明パネル２１〜２３を用いる場合を例として説明したが、この他にも、正方形状や多角形状や円形状等の有機ＥＬ照明パネルを用いることも可能である。
また、本実施例においては、三つのコンタクトピンを有する第一、第二コネクタ３，４を備えた有機ＥＬ照明パネル２１〜２３を電気的に接続する例を示したが、第一有機ＥＬ照明パネル２１と第１の実施例において説明した二つのコンタクトピンを有する第一、第二コネクタ１，２を備えた有機ＥＬ照明パネル１１を組み合わせる等としてもよい。
【００７７】
以上説明したように、本実施例に係る有機ＥＬ照明装置によれば、第１の実施例に係る有機ＥＬ照明装置により奏する作用及び効果に加え、それぞれ三つのコンタクトピンを備えた第一、第二コネクタ３，４を用いること、及び短絡ピン８の設置の有無を選択することにより、複数の有機ＥＬ照明パネルの直列接続と並列接続とを制御することができる。
【実施例３】
【００７８】
以下、図１２及び図１３を用いて本発明に係る有機ＥＬ照明装置の第３の実施例について説明する。
【００７９】
はじめに、本実施例に係る有機ＥＬ照明装置における有機ＥＬ照明パネルの構成について説明する。
図１２は、本実施例に係る有機ＥＬ照明装置の構成を示した模式図である。
図１２に示すように、本実施例に係る有機ＥＬ照明装置は、八つの有機ＥＬ照明パネル３１〜３８を備えている。
以下、本実施例に係る第一〜第八の有機ＥＬ照明パネル３１〜３８の構成において、例えば、上記引用文献１，２に開示されている従来周知の有機ＥＬ照明パネルの構成と同様の構成については詳細な説明は適宜省略し、異なる点を中心に説明するものとする。
【００８０】
本実施例に係る有機ＥＬ照明装置において、第一〜第八の有機ＥＬ照明パネル３１〜３８は、それぞれ有機ＥＬ素子３１ａ〜３８ａと、有機ＥＬ素子３１ａ〜３８ａに給電するための陽極電極端子３１ｂ〜３８ｂ及び陰極電極端子３１ｃ〜３８ｃとを備えている。
【００８１】
第一〜第八有機ＥＬ照明パネル３１〜３８上にはそれぞれ四つのコンタクト手段としてのコンタクトピンを有する二つのコネクタ（以下、それぞれ第一コネクタ、第二コネクタという）５，６が一対設けられている。
【００８２】
第一〜第八の有機ＥＬ照明パネル３１〜３８の各第一コネクタ５の第一のコンタクトピン（以下、第一コネクタ側第一陽極用コンタクトピンという）５ａ及び第二のコンタクトピン（以下、第一コネクタ側第二陽極用コンタクトピンという）５ｂと、第二コネクタ６の第一のコンタクトピン（以下、第二コネクタ側陽極用コンタクトピンという）６ａは、図中二点鎖線で示すコンタクトピン間接続線７により相互に電気的に接続されているとともに、それぞれ陽極電極端子３１ｂ〜３８ｂと電気的に接続されている。
第一〜第八の有機ＥＬ照明パネル３１〜３８の各第一コネクタ５の第三のコンタクトピン（以下、第一コネクタ側陰極用コンタクトピンという）５ｃと、第二コネクタ６の第二のコンタクトピン（以下、第二コネクタ側第一陰極用コンタクトピンという）６ｂ及び第三のコンタクトピン（以下、第二コネクタ側第二陰極用コンタクトピンという）６ｃとは、図中破線で示すコンタクトピン間接続線７により相互に電気的に接続されているとともに、それぞれ陰極電極端子３１ｃ〜３８ｃと電気的に接続されている。
【００８３】
第一〜第八の有機ＥＬ照明パネル３１〜３８の各第一コネクタ５の第四のコンタクトピン（以下、第一コネクタ側コンタクトピンという）５ｄと第二コネクタ６の第四のコンタクトピン（以下、第二コネクタ側コンタクトピンという）６ｄは、図中一点鎖線で示すコンタクトピン間接続線７により電気的に接続されている。
なお、コンタクトピン間接続線７は第一、第二コネクタ５，６を実装している回路基板上に配置されており、この回路パターンは例えば回路基板上に配置された銅メッキのエッチング等で作製可能である。また、図中の黒丸は後述する短絡手段としての短絡ピン８を必要に応じて取り付けるための部品（例えば、ピン等）である。
【００８４】
ここで、本実施例においては、後述する電源９の陽極及び第一〜第八の有機ＥＬ照明パネル３１〜３８の陽極電極端子３１ｂ〜３８ｂと電気的に接続される第一コネクタ側第一陽極用コンタクトピン５ａ及び第一コネクタ側第二陽極用コンタクトピン５ｂ並びに第二コネクタ側陽極用コンタクトピン６ａを『白』で示し、第一〜第八の有機ＥＬ照明パネル３１〜３８の陰極電極端子３１ｃ〜３８ｃと電気的に接続される第一コネクタ側陰極用コンタクトピン５ｃ並びに第二コネクタ側第一陰極用コンタクトピン６ｂ及び第二コネクタ側第二陰極用コンタクトピン６ｃを『黒』で示し、後述する電源９の陰極と電気的に接続される第一コネクタ側コンタクトピン５ｄ及び第二コネクタ側コンタクトピン６ｄを『斜線』により示すこととする。
【００８５】
なお、本実施例においては、第一コネクタ５及び第二コネクタ６として、広く一般に用いられている幅約２〜３ｍｍ程度の４つのピンを備えた表面実装タイプの４ピンのコネクタ（４Ｐコネクタ）を用いることとする。これにより、本実施例においては、陽極電極端子及び陰極電極端子とコネクタとの間にハンダペーストを介し、リフロー炉を通すことにより、ハンダを溶融させて、陽極電極端子及び陰極電極端子とコネクタとを電気的に接続することができる。
【００８６】
以上が本実施例に係る有機ＥＬ照明装置における有機ＥＬ照明パネルの構成についての説明である。
【００８７】
図１２を用いて本実施例に係る有機ＥＬ照明装置の構成について説明する。
なお、本実施例に係る有機ＥＬ照明装置における第一〜第八有機ＥＬ照明パネル３１〜３８の陽極電極端子３１ｂ〜３８ｂ及び陰極電極端子３１ｃ〜３８ｃと第一、第二コネクタ５，６とを電気的に接続する方法については、例えば図３〜図５に示し上述した実施例１の構成において、第一、第二コネクタ１，２に代えて図１２に示す第一、第二コネクタ５，６を用いるものとし、ここでは詳細な説明は省略する。また、本実施例に係る有機ＥＬ照明装置における第一〜第八有機ＥＬ照明パネル３１〜３８間の電気的接続は、第１の実施例と同様の方法により行うこととする。
【００８８】
図１２に示すように、本実施例に係る有機ＥＬ照明装置において、第一有機ＥＬ照明パネル３１の第一コネクタ側第二陽極用コンタクトピン５ｂは、電源９の陽極と電気的に接続されている。
第一有機ＥＬ照明パネル３１の第一コネクタ側コンタクトピン５ｄは、電源９の陰極と電気的に接続されている。
なお、本実施例においては、第一有機ＥＬ照明パネル３１の第一コネクタ５と電源９との間の電気的接続は、リード線等により行うこととする。
【００８９】
第一有機ＥＬ照明パネル３１の第二コネクタ側陽極用コンタクトピン６ａは、第二有機ＥＬ照明パネル３２の第一コネクタ側第一陽極用コンタクトピン５ａと電気的に接続されている。
第一有機ＥＬ照明パネル３１の第二コネクタ６の第二コネクタ側第二陰極用コンタクトピン６ｃは、第二有機ＥＬ照明パネル３２の第一コネクタ側陰極用コンタクトピン５ｃと電気的に接続されている。
第一有機ＥＬ照明パネル３１の第二コネクタ側コンタクトピン６ｄは、第二有機ＥＬ照明パネル３２の第一コネクタ側コンタクトピン５ｄと電気的に接続されている。
【００９０】
第二有機ＥＬ照明パネル３２の第二コネクタ側陽極用コンタクトピン６ａは、第三有機ＥＬ照明パネル３３の第一コネクタ側第一陽極用コンタクトピン５ａと電気的に接続されている。
第二有機ＥＬ照明パネル３２の第二コネクタ側第二陰極用コンタクトピン６ｃは、第三有機ＥＬ照明パネル３３の第一コネクタ側陰極用コンタクトピン５ｃと電気的に接続されている。
第二有機ＥＬ照明パネル３２の第二コネクタ側コンタクトピン６ｄは、第三有機ＥＬ照明パネル３３の第一コネクタ側コンタクトピン５ｄと電気的に接続されている。
【００９１】
第三有機ＥＬ照明パネル３３の第二コネクタ側第一陰極用コンタクトピン６ｂは、第四有機ＥＬ照明パネル３４の第一コネクタ側第二陽極用コンタクトピン５ｂと電気的に接続されている。
第三有機ＥＬ照明パネル３３の第二コネクタ側コンタクトピン６ｄは、第四有機ＥＬ照明パネル３４の第一コネクタ側コンタクトピン５ｄと電気的に接続されている。
【００９２】
第四有機ＥＬ照明パネル３４の第二コネクタ側第一陰極用コンタクトピン６ｂは、第五有機ＥＬ照明パネル３５の第一コネクタ側第二陽極用コンタクトピン５ｂと電気的に接続されている。
第四有機ＥＬ照明パネル３４の第二コネクタ側コンタクトピン６ｄは、第五有機ＥＬ照明パネル３５の第一コネクタ側コンタクトピン５ｄと電気的に接続されている。
【００９３】
第五有機ＥＬ照明パネル３５の第二コネクタ側陽極用コンタクトピン６ａは、第六有機ＥＬ照明パネル３６の第一コネクタ側第一陽極用コンタクトピン５ａと電気的に接続されている。
第五有機ＥＬ照明パネル３５の第二コネクタ側第二陰極用コンタクトピン６ｃは、第六有機ＥＬ照明パネル３６の第一コネクタ側陰極用コンタクトピン５ｃと電気的に接続されている。
第五有機ＥＬ照明パネル３５の第二コネクタ側コンタクトピン６ｄは、第六有機ＥＬ照明パネル３６の第一コネクタ側コンタクトピン５ｄと電気的に接続されている。
【００９４】
第六有機ＥＬ照明パネル３６の第二コネクタ側陽極用コンタクトピン６ａは、第七有機ＥＬ照明パネル３７の第一コネクタ側第一陽極用コンタクトピン５ａと電気的に接続されている。
第六有機ＥＬ照明パネル３６の第二コネクタ側第二陰極用コンタクトピン６ｃは、第七有機ＥＬ照明パネル３７の第一コネクタ側陰極用コンタクトピン５ｃと電気的に接続されている。
第六有機ＥＬ照明パネル３６の第二コネクタ側コンタクトピン６ｄは、第七有機ＥＬ照明パネル３７の第一コネクタ側コンタクトピン５ｄと電気的に接続されている。
【００９５】
第七有機ＥＬ照明パネル３７の第二コネクタ側陽極用コンタクトピン６ａは、第八有機ＥＬ照明パネル３８の第一コネクタ側第一陽極用コンタクトピン５ａと電気的に接続されている。
第七有機ＥＬ照明パネル３７の第二コネクタ６の第二コネクタ側第二陰極用コンタクトピン６ｃは、第八有機ＥＬ照明パネル３８の第一コネクタ側陰極用コンタクトピン５ｃと電気的に接続されている。
第七有機ＥＬ照明パネル３７の第二コネクタ側コンタクトピン６ｄは、第八有機ＥＬ照明パネル３８の第一コネクタ側コンタクトピン５ｄと電気的に接続されている。
【００９６】
第一〜第三有機ＥＬ照明パネル３１〜３３及び第五〜第八有機ＥＬ照明パネル３５〜３８には、陰極用コンタクトピン５ｃ，６ｂ，６ｃとコンタクトピン５ｄ，６ｄとをコンタクトピン間接続線７を介して電気的に接続する短絡ピン８が設置されている。
【００９７】
これにより、第一〜第三有機ＥＬ照明パネル３１〜３３のそれぞれの陽極電極端子３１ｂ〜３３ｂと陰極電極端子３１ｃ〜３３ｃとの間に印加される電圧を同一にし、第五〜第八有機ＥＬ照明パネル３５〜３８のそれぞれの陽極電極端子３１ｂ〜３３ｂと陰極電極端子３１ｃ〜３３ｃとの間に印加される電圧を同一にすることができるとともに、電源９の陽極から第一〜第三有機ＥＬ照明パネル３１〜３３と第四有機ＥＬ照明パネル３４とを経て第五〜第八有機ＥＬ照明パネル３５〜３８まで流れてきた電流を電源９の陰極に返すことができる。なお、本実施例においては、短絡ピン８として、広く一般に用いられている２ピンの表面実装用ラッピング端子を用いることができる。
【００９８】
これにより、図１３に示すように、第一〜第八の有機ＥＬ照明パネル３１〜３８の並列接続及び直列接続を同時に実現することができる。
以上が本実施例に係る有機ＥＬ照明装置の構成についての説明である。
【００９９】
以上、本実施例においては、八つの有機ＥＬ照明パネル３１〜３８を直列又は並列に接続する場合を例として説明したが、２〜７又は９つ以上の有機ＥＬ照明パネルを直列又は並列に接続することも可能である。また、ひとつの有機ＥＬ照明パネルのみを電源９に接続する場合には、その有機ＥＬ照明パネルに短絡ピン８を設置することにより有機ＥＬ照明パネルを点灯させることが可能である。
【０１００】
なお、本実施例においては、第一コネクタ５及び第二コネクタ６として、表面実装タイプのコネクタを用いる場合を例として説明したが、上述したコネクタ以外の大きさや形状のコネクタを用いることとしてもよく、また、これ以外にも、リード線を用いて接続する方法や、手作業にてハンダにより接続する方法等を用いることも可能である。
また、本実施例においては、短絡ピン８として、例えば広く一般に用いられている２ピンの表面実装用ラッピング端子を用いる例を示したが、これ以外の方法により電気的に接続するようにしてもよい。
また、本実施例においては、長方形状の有機ＥＬ照明パネル３１〜３８を用いる場合を例として説明したが、この他にも、正方形状や多角形状や円形状等の有機ＥＬ照明パネルを用いることも可能である。
また、本実施例においては、四つのコンタクトピンを有する第一、第二コネクタ５，６を備えた有機ＥＬ照明パネル３１〜３８を電気的に接続する例を示したが、第一有機ＥＬ照明パネル３１と第１の実施例において説明した二つのコンタクトピンを有する第一、第二コネクタ１，２を備えた有機ＥＬ照明パネル１１を組み合わせる等、異なるコンタクトピン数を有するコネクタを備えた有機ＥＬ照明パネルを接続する構成としてもよい。
【０１０１】
以上説明したように、本実施例に係る有機ＥＬ照明装置によれば、第１，２の実施例に係る有機ＥＬ照明装置により奏する作用及び効果に加え、それぞれ四つのコンタクトピンを備えた第一、第二コネクタ５，６を用いること、及び短絡ピン８の設置の有無を選択することにより、複数の有機ＥＬ照明パネル３１〜３８の直列接続と並列接続を同時に実現することができる。
【実施例４】
【０１０２】
以下、図１４及び図１５を用いて本発明に係る有機ＥＬ照明装置の第４の実施例について説明する。
【０１０３】
はじめに、本実施例に係る有機ＥＬ照明装置における有機ＥＬ照明パネルの構成について説明する。
図１４は、本実施例に係る有機ＥＬ照明装置の構成を示した模式図である。
図１４に示すように、本実施例に係る有機ＥＬ照明装置は、五つの有機ＥＬ照明パネル（以下、第一〜第五有機ＥＬ照明パネルという）４１〜４５を備えている。
以下、本実施例に係る第一〜第五の有機ＥＬ照明パネル４１〜４５の構成において、例えば、上記引用文献１，２に開示されている従来周知の有機ＥＬ照明パネルの構成と同様の構成については詳細な説明は適宜省略し、異なる点を中心に説明するものとする。
【０１０４】
第一〜第五の有機ＥＬ照明パネル４１〜４５は、それぞれに有機ＥＬ素子４１ａ〜４５ａと、有機ＥＬ素子４１ａ〜４５ａに給電するための陽極電極端子４１ｂ〜４５ｂ及び陰極電極端子４１ｃ〜４５ｃとを備えている。
【０１０５】
第一有機ＥＬ照明パネル４１上には四つのコンタクト手段としてのコンタクトピンを有する二つのコネクタ（以下、第一コネクタ、第二コネクタという）５，６が二対設けられている。なお、以下の説明においては二対のコネクタを差別化する場合は、一方の第一、第二コネクタを第一コネクタ５−１及び第二コネクタ６−１、他方の第一、第二コネクタを第一コネクタ５−２及び第二コネクタ６−２として説明する。
また、第二〜第五の有機ＥＬ照明パネル４２〜４５上には四つのコンタクトピンを有する二つのコネクタ（以下、第一コネクタ、第二コネクタという）５，６が一対設けられている。
【０１０６】
第一〜第五有機ＥＬ照明パネル４１〜４５の第一コネクタ５の第１のコンタクトピン（以下、第一コネクタ側第一陽極用コンタクトピンという）５ａ及び第二のコンタクトピン（以下、第一コネクタ側第二陽極用コンタクトピンという）５ｂ、並びに第二コネクタ６の第一のコンタクトピン（以下、第二コネクタ側陽極用コンタクトピン）６ａは、図中二点鎖線で示すコンタクトピン間接続線７により相互に電気的に接続されているとともに、陽極電極端子４１ｂ〜４５ｂと電気的に接続されている。
第一〜第五有機ＥＬ照明パネル４１〜４５の第一コネクタ５の第３のコンタクトピン（以下、第一コネクタ側陰極用コンタクトピンという）５ｃ、並びに第二コネクタ６の第二のコンタクトピン（以下、第二コネクタ側第一陰極用コンタクトピンという）６ｂ及び第三のコンタクトピン（以下、第二コネクタ側第二陰極用コンタクトピンという）６ｃは、図中破線で示すコンタクトピン間接続線７により相互に電気的に接続されているとともに、陰極電極端子４１ｃ〜４５ｃと電気的に接続されている。
【０１０７】
第一〜第五有機ＥＬ照明パネル４１〜４５の第一コネクタ５の第４のコンタクトピン（以下、第一コネクタ側コンタクトピンという）５ｄと、第二コネクタ６の第４のコンタクトピン（以下、第二コネクタ側コンタクトピンという）６ｄは、図中一点鎖線で示すコンタクトピン間接続線７により電気的に接続されている。
なお、コンタクトピン間接続線７は第一、第二コネクタ５，６を実装している回路基板上に配置されており、この回路パターンは例えば回路基板上に配置された銅メッキのエッチング等で作製可能である。また、図中の黒丸は後述する短絡手段としての短絡ピン８を必要に応じて取り付けるための部品（例えば、ピン等）である。
【０１０８】
ここで、本実施例においては、後述する電源９の陽極及び第一〜第五有機ＥＬ照明パネル４１〜４５の陽極電極端子４１ｂ〜４５ｂと電気的に接続される各陽極用コンタクトピン５ａ，５ｂ，６ａを『白』で示し、第一〜第五有機ＥＬ照明パネル４１〜４５の陰極電極端子４１ｃと電気的に接続される各陰極用コンタクトピン５ｃ，６ｂ，６ｃを『黒』で示し、後述する電源９の陰極と電気的に接続される第一コネクタ側コンタクトピン５ｄ及び第二コネクタ側コンタクトピン６ｄを『斜線』により示すこととする。
【０１０９】
なお、本実施例においては、第一、第二コネクタ５，６として、広く一般に用いられている幅約２〜３ｍｍ程度の３つのピンを備えた表面実装タイプの３ピンコネクタ（３Ｐコネクタ）を用いることとする。これにより、本実施例においては、陽極電極端子及び陰極電極端子とコネクタとの間にハンダペーストを介し、リフロー炉を通すことにより、ハンダを溶融させて、陽極電極端子及び陰極電極端子とコネクタとを電気的に接続することができる。
【０１１０】
以上が、本実施例に係る有機ＥＬ照明装置における有機ＥＬ照明パネルの構成についての説明である。
【０１１１】
図１４及び図１５を用いて本実施例に係る有機ＥＬ照明装置の構成について説明する。
なお、本実施例に係る有機ＥＬ照明装置における第一〜第五有機ＥＬ照明パネル４１〜４５の陽極電極端子４１ｂ〜４５ｂ及び陰極電極端子４１ｃ〜４５ｃと第一、第二コネクタ５，６とを電気的に接続する方法については、例えば図３〜図５に示し上述した実施例１の構成において、第一、第二コネクタ１，２に代えて図１２に示す第一、第二コネクタ５，６を用いるものとし、ここでは詳細な説明は省略する。また、本実施例に係る有機ＥＬ照明装置における第一〜第五有機ＥＬ照明パネル４１〜４５間の電気的接続は、第１の実施例と同様の方法により行うこととする。
【０１１２】
図１４に示すように、本実施例に係る有機ＥＬ照明装置において、第一有機ＥＬ照明パネル４１の第一コネクタ５−１の第一コネクタ側第二陽極用コンタクトピン５ｂは、第二有機ＥＬ照明パネル４２の第二コネクタ側第一陰極用コンタクトピン６ｂと電気的に接続されている。
第一有機ＥＬ照明パネル４１の第一コネクタ５−１の第一コネクタ側コンタクトピン５ｄは、第二有機ＥＬ照明パネル４２の第二コネクタ側コンタクトピン６ｄと電気的に接続されている。
【０１１３】
第一有機ＥＬ照明パネル４１の第二コネクタ６−１の第二コネクタ側第一陰極用コンタクトピン６ｂは、第三有機ＥＬ照明パネル４３の第一コネクタ側第二陽極用コンタクトピン５ｂと電気的に接続されている。
第一有機ＥＬ照明パネル４１の第二コネクタ６−１の第二コネクタ側コンタクトピン６ｄは、第三有機ＥＬ照明パネル４３の第一コネクタ側コンタクトピン５ｄと電気的に接続されている。
【０１１４】
第一有機ＥＬ照明パネル４１の第一コネクタ５−２の第一コネクタ側第一陽極用コンタクトピン５ａは第四有機ＥＬ照明パネル４４の第二コネクタ側陽極用コンタクトピン６ａと電気的に接続されている。
第一有機ＥＬ照明パネル４１の第一コネクタ５−２の第一コネクタ側陰極用コンタクトピン５ｃは第四有機ＥＬ照明パネル４４の第二コネクタ側第二陰極用コンタクトピン６ｃと電気的に接続されている。
第一有機ＥＬ照明パネル４１の第一コネクタ５−２の第一コネクタ側コンタクトピン５ｄは第四有機ＥＬ照明パネル４４の第二コネクタ側コンタクトピン６ｄと電気的に接続されている。
【０１１５】
第一有機ＥＬ照明パネル４１の第二コネクタ６−２の第二コネクタ側陽極用コンタクトピン６ａは、第五有機ＥＬ照明パネル４５の第一コネクタ側第一陽極用コンタクトピン５ａと電気的に接続されている。
第一有機ＥＬ照明パネル４１の第二コネクタ６−２の第二コネクタ側第二陰極用コンタクトピン６ｃは、第五有機ＥＬ照明パネル４５の第一コネクタ側陰極用コンタクトピン５ｃと電気的に接続されている。
第一有機ＥＬ照明パネル４１の第二コネクタ６−２の第二コネクタ側コンタクトピン６ｄは第五有機ＥＬ照明パネル４５の第一コネクタ側コンタクトピン５ｄに電気的に接続されている。
【０１１６】
第二有機ＥＬ照明パネル４２の第一コネクタ側第二陽極用コンタクトピン５ｂは電源９の陽極に電気的に接続されている。
第二有機ＥＬ照明パネル４２の第一コネクタ側コンタクトピン５ｄは電源９の陰極に電気的に接続されている。
なお、本実施例においては、第二有機ＥＬ照明パネル４２の第一コネクタ５と電源９との間の電気的接続は、リード線等により行うこととする。
【０１１７】
そして、本実施例において、第一及び第三〜第五有機ＥＬ照明パネル４１，４３〜４５には、第一有機ＥＬ照明パネル４１の第一コネクタ５−２、第二コネクタ６−２の陰極用コンタクトピン５ｃ，６ｂ，６ｃとコンタクトピン５ｄ，６ｄ、及び、第三〜第五有機ＥＬ照明パネル４３〜４５の陰極用コンタクトピン５ｃ，６ｂ，６ｃとコンタクトピン５ｄ，６ｄとをコンタクトピン間接続線７を介して電気的に接続する短絡ピン８が設置されている。
【０１１８】
これにより、電源９の陽極から第二、第一、第四、第五有機ＥＬ照明パネル４２，４１，４４，４５を経て第三有機ＥＬ照明パネル４３まで流れてきた電流を電源９の陰極に返すことができるとともに、第一、第四、第五有機ＥＬ照明パネル４１，４４，４５のそれぞれの陽極電極端子４１ｂ，４４ｂ，４５ｂと陰極電極端子４１ｃ，４４ｃ，４５ｃとの間に印加される電圧を同一にすることができる。
なお、本実施例においては、短絡ピン８として、広く一般に用いられている２ピンの表面実装用ラッピング端子を用いることができる。
【０１１９】
これにより、図１５に示すように、第一〜第五の有機ＥＬ照明パネル４１〜４５の直列接続及び並列接続を同時に実現することができる。特に第一有機ＥＬ照明パネル４１は第二〜第五有機ＥＬ照明パネル４２〜４５と異なり、直列接続と並列接続とを同時に実現するための直列用のコネクタ５−１，６−１を一組、並列用のコネクタ５−２，６−２を一組配置している。このような配置を行うことによって、隣接する有機ＥＬ照明パネルとの配線を可能な限り短くすることができ、配線材の低コスト化、及び外観の見栄え向上を実現することが可能となる。また、より複雑な接続が可能となる。
以上が本実施例に係る有機ＥＬ照明装置の構成についての説明である。
【０１２０】
以上、本実施例においては、５つの有機ＥＬ照明パネル４１〜４５を直列又は並列に接続する場合を例として説明したが、２〜４又は６つ以上の有機ＥＬ照明パネルを直列又は並列に接続することも可能である。また、ひとつの有機ＥＬ照明パネルのみを電源９に接続する場合には、その有機ＥＬ照明パネルに短絡ピン８を設置することにより有機ＥＬ照明パネルを点灯させることが可能である。
なお、本実施例においては、第一コネクタ５及び第二コネクタ６として、表面実装タイプのコネクタを用いる場合を例として説明したが、上述したコネクタ以外の大きさや形状のコネクタを用いることとしてもよく、また、これ以外にも、リード線を用いて接続する方法や、手作業にてハンダにより接続する方法等を用いることも可能である。
また、本実施例においては、短絡ピン８として、例えば広く一般に用いられている２ピンの表面実装用ラッピング端子を用いる例を示したが、これ以外の方法により電気的に接続するようにしてもよい。
【０１２１】
また、本実施例においては、長方形状の有機ＥＬ照明パネル４１〜４５を用いる場合を例として説明したが、この他にも、正方形状や多角形状や円形状等の有機ＥＬ照明パネルを用いることも可能である。
【０１２２】
また、本実施例においては、第一有機ＥＬ照明パネル４１に第一コネクタ５及び第二コネクタ６を二対設置する例を示したが、第一コネクタ５、第二コネクタ６の数は必要に応じて一対又は三対以上設置することも可能である。
【０１２３】
また、本実施例においては、第一有機ＥＬ照明パネル４１に二対の第一コネクタ５及び第二コネクタ６を設置した場合を例として説明したが、一つの第一コネクタ５に対して複数の第二コネクタ６を電気的に接続する構成とすることも可能である。
【０１２４】
また、本実施例においては、第一有機ＥＬ照明パネル４１に第一コネクタ５−１，５−２と第二コネクタ６−１，６−２を対をなすように設置した場合を例として説明したが、第二〜第五の有機ＥＬ照明パネル４２〜４５に複数の第一コネクタ５及び第二コネクタ６を設置してさらに他の有機ＥＬ照明パネルを接続するようにすることも可能である。
また、本実施例においては、四つのコンタクトピンを有する第一、第二コネクタ５，６を備えた有機ＥＬ照明パネル４１〜４５を電気的に接続する例を示したが、第一有機ＥＬ照明パネル４１と第１の実施例において説明した二つのコンタクトピンを有する第一、第二コネクタ１，２を備えた有機ＥＬ照明パネル１１を組み合わせる等、異なるコンタクトピン数を有するコネクタを備えた有機ＥＬ照明パネルを接続する構成としてもよい。
【０１２５】
以上説明したように、本実施例に係る有機ＥＬ照明装置によれば、第１〜３の実施例に係る有機ＥＬ照明装置により奏する作用及び効果に加え、第一有機ＥＬ照明パネル４１の第一コネクタ５、第二コネクタ６を、第一有機ＥＬ照明パネル４１に接続する有機ＥＬ照明パネル４２〜４４に近接するように配置することにより、第一有機ＥＬ照明パネル４１に対し第二〜第五有機ＥＬ照明パネル４２〜４５を所望する方向、位置及び間隔で設置することができる。
【実施例５】
【０１２６】
図１６〜図２０を用いて本発明に係る有機ＥＬ照明装置の第５の実施例について説明する。
はじめに、本実施例に係る有機ＥＬ照明装置における有機ＥＬ照明パネルの構成について説明する。
図１６は、本実施例に係る有機ＥＬ照明装置の構成を示した模式図である。
図１６に示すように、本実施例に係る有機ＥＬ照明装置は、六つの有機ＥＬ照明パネル５１〜５６を備えている。
以下、本実施例に係る第一〜第六の有機ＥＬ照明パネル５１〜５６の構成において、例えば、上記引用文献１，２に開示されている従来周知の有機ＥＬ照明パネルの構成と同様の構成については詳細な説明は適宜省略し、異なる点を中心に説明するものとする。
【０１２７】
本実施例に係る有機ＥＬ照明装置において、第一〜第六の有機ＥＬ照明パネル５１〜５６は、それぞれ有機ＥＬ素子５１ａ〜５６ａと、有機ＥＬ素子５１ａ〜５６ａに給電するための陽極電極端子５１ｂ〜５６ｂ及び陰極電極端子５１ｃ〜５６ｃとを備えている。
【０１２８】
第一〜第六有機ＥＬ照明パネル５１〜５６上にはそれぞれコンタクト手段としての四つのコンタクトピンを有する二つのコネクタ（以下、それぞれ第一コネクタ、第二コネクタという）５，６が一対設けられている。ここで、本実施例においては、第一〜第六有機ＥＬ照明パネル５１〜５６のコネクタ搭載回路基板として、例えば薄型のガラスエポキシ基板やＦＰＣ等のフレキシブル基板を用いるものとする。
【０１２９】
第一〜第六の有機ＥＬ照明パネル５１〜５６の第一コネクタ５の第一のコンタクトピン（以下、第一コネクタ側第一陽極用コンタクトピンという）５ａ及び第二のコンタクトピン（以下、第一コネクタ側第二陽極用コンタクトピンという）５ｂと、第二コネクタ６の第一のコンタクトピン（以下、第二コネクタ側陽極用コンタクトピンという）６ａは、図中二点鎖線で示すコンタクトピン間接続線７により相互に電気的に接続されているとともに、それぞれ陽極電極端子５１ｂ〜５６ｂと電気的に接続されている。
第一〜第六の有機ＥＬ照明パネル５１〜５６の第一コネクタ５の第三のコンタクトピン（以下、第一コネクタ側陰極用コンタクトピンという）５ｃと、第二コネクタ６の第二のコンタクトピン（以下、第二コネクタ側第一陰極用コンタクトピンという）６ｂ及び第三のコンタクトピン（以下、第二コネクタ側第二陰極用コンタクトピンという）６ｃとは、図中破線で示すコンタクトピン間接続線７により相互に電気的に接続されているとともに、それぞれ陰極電極端子５１ｃ〜５６ｃと電気的に接続されている。
【０１３０】
第一〜第六の有機ＥＬ照明パネル５１〜５６の第一コネクタ５の第四のコンタクトピン（以下、第一コネクタ側コンタクトピンという）５ｄと第二コネクタ６の第四のコンタクトピン（以下、第二コネクタ側コンタクトピンという）６ｄは、図中一点鎖線で示すコンタクトピン間接続線７により電気的に接続されている。
なお、コンタクトピン間接続線７は第一、第二コネクタ５，６を実装している回路基板上に配置されており、この回路パターンは例えば回路基板上に配置された銅メッキのエッチング等で作製可能である。また、図中の黒丸は後述する短絡手段としての短絡ピン８を必要に応じて取り付けるための部品（例えば、ピン等）である。
【０１３１】
ここで、本実施例においては、後述する電源９の陽極及び第一〜第六の有機ＥＬ照明パネル５１〜５６の陽極電極端子５１ｂ〜５６ｂと電気的に接続される第一コネクタ側第一陽極用コンタクトピン５ａ及び第一コネクタ側第二陽極用コンタクトピン５ｂ並びに第二コネクタ側陽極用コンタクトピン６ａを『白』で示し、第一〜第六の有機ＥＬ照明パネル５１〜５６の陰極電極端子５１ｃ〜５６ｃと電気的に接続される第一コネクタ側陰極用コンタクトピン５ｃ並びに第二コネクタ側第一陰極用コンタクトピン６ｂ及び第二コネクタ側第二陰極用コンタクトピン６ｃを『黒』で示し、後述する電源９の陰極と電気的に接続される第一コネクタ側コンタクトピン５ｄ及び第二コネクタ側コンタクトピン６ｄを『斜線』により示すこととする。
【０１３２】
なお、本実施例においては、第一コネクタ５及び第二コネクタ６として、広く一般に用いられている幅約２〜３ｍｍ程度の４つのピンを備えた表面実装タイプの４ピンコネクタ（４Ｐコネクタ）を用いることとする。これにより、本実施例においては、陽極電極端子及び陰極電極端子とコネクタとの間にハンダペーストを介し、リフロー炉を通すことにより、ハンダを溶融させて、陽極電極端子及び陰極電極端子とコネクタとを電気的に接続することができる。
【０１３３】
以上が本実施例に係る有機ＥＬ照明装置における有機ＥＬ照明パネルの構成についての説明である。
【０１３４】
図１６を用いて本実施例に係る有機ＥＬ照明装置の構成について説明する。
なお、本実施例に係る第一〜第六有機ＥＬ照明パネル５１〜５６の陽極電極端子５１ｂ〜５６ｂ及び陰極電極端子５１ｃ〜５６ｃと第一、第二コネクタ５，６とを電気的に接続する方法については、例えば図３〜図５に示し上述した実施例１の構成において、第一、第二コネクタ１，２に代えて図１６に示す第一、第二コネクタ５，６を用いるものとし、ここでは詳細な説明は省略する。また、本実施例に係る有機ＥＬ照明装置における第一〜第六有機ＥＬ照明パネル５１〜５６間の電気的接続は、第１の実施例と同様の方法により行うこととする。
【０１３５】
図１６に示すように、本実施例に係る有機ＥＬ照明装置において、第一有機ＥＬ照明パネル５１の第一コネクタ側第二陽極用コンタクトピン５ｂは第二有機ＥＬ照明パネル５２の第二コネクタ側第一陰極用コンタクトピン６ｂと電気的に接続されている。
第一有機ＥＬ照明パネル５１の第一コネクタ側コンタクトピン５ｄは第二有機ＥＬ照明パネル５２の第二コネクタ側コンタクトピン６ｄと電気的に接続されている。
【０１３６】
第一有機ＥＬ照明パネル５１の第二コネクタ側陽極用コンタクトピン６ａは、電源９の陽極と電気的に接続されている。
第一有機ＥＬ照明パネル５１の第二コネクタ側コンタクトピン６ｄは、電源９の陰極と電気的に接続されている。
なお、本実施例においては、第一有機ＥＬ照明パネル５１の第二コネクタ６と電源９との間の電気的接続は、リード線等により行うこととする。
【０１３７】
第二有機ＥＬ照明パネル５２の第一コネクタ側第二陽極用コンタクトピン５ｂは、第三有機ＥＬ照明パネル５３の第二コネクタ側第一陰極用コンタクトピン６ｂと電気的に接続されている。
第二有機ＥＬ照明パネル５２の第一コネクタ側コンタクトピン５ｄは、第三有機ＥＬ照明パネル５３の第二コネクタ側コンタクトピン６ｄと電気的に接続されている。
【０１３８】
第四有機ＥＬ照明パネル５４の第一コネクタ側第二陽極用コンタクトピン５ｂは第五有機ＥＬ照明パネル５５の第二コネクタ側第一陰極用コンタクトピン６ｂと電気的に接続されている。
第四有機ＥＬ照明パネル５４の第一コネクタ側コンタクトピン５ｄは第五有機ＥＬ照明パネル５５の第二コネクタ側コンタクトピン６ｄと電気的に接続されている。
【０１３９】
第四有機ＥＬ照明パネル５４の第二コネクタ側陽極用コンタクトピン６ａは、電源９の陽極と電気的に接続されている。
第四有機ＥＬ照明パネル５４の第二コネクタ側コンタクトピン６ｄは、電源９の陰極と電気的に接続されている。
なお、本実施例においては、第四有機ＥＬ照明パネル５４の第二コネクタ６と電源９との間の電気的接続は、リード線等により行うこととする。
【０１４０】
第五有機ＥＬ照明パネル５５の第一コネクタ側第二陽極用コンタクトピン５ｂは、第六有機ＥＬ照明パネル５６の第二コネクタ側第一陰極用コンタクトピン６ｂと電気的に接続されている。
第五有機ＥＬ照明パネル５５の第一コネクタ側コンタクトピン５ｄは、第六有機ＥＬ照明パネル５６の第二コネクタ側コンタクトピン６ｄと電気的に接続されている。
【０１４１】
そして、第三、第六有機ＥＬ照明パネル５３，５６には、陰極用コンタクトピン５ｃ，６ｂ，６ｃとコンタクトピン５ｄ，６ｄとをコンタクトピン間接続線７を介して電気的に接続する短絡ピン８が設置されている。
【０１４２】
これにより、電源９の陽極から第一、第二有機ＥＬ照明パネル５１，５２を経て第三有機ＥＬ照明パネル５３まで流れてきた電流、及び、電源９の陽極から第四、第五有機ＥＬ照明パネル５４，５５を経て第六有機ＥＬ照明パネル５６まで流れてきた電流をそれぞれ電源９の陰極に返すことができる。なお、本実施例においては、短絡ピン８として、広く一般に用いられている２ピンの表面実装用ラッピング端子を用いることができる。
【０１４３】
これにより、図１７に示すように、複雑な配線を行うことなく第一〜第六の有機ＥＬ照明パネル５１〜５６の並列接続及び直列接続を同時に実現することができる。
【０１４４】
さらに、本実施例においては、図１８に示すように、第一〜第六有機ＥＬ照明パネル５１〜５６を発光面のみが隙間なく並ぶように配設することができる。このとき、フレキシブル基板によって構成される、第一〜第六有機ＥＬ照明パネル５１〜５６の第一コネクタ５１及び第二コネクタ５２が設けられた発光面の外側の部分は、図１９又は図２０に示すように発光面とは反対側に変形させるものとする。
以上が本実施例に係る有機ＥＬ照明装置の構成についての説明である。
【０１４５】
以上、本実施例においては、六つの有機ＥＬ照明パネル５１〜５６を直列又は並列に接続して発光面が隙間なく並ぶように配置する場合を例として説明したが、２〜５又は７つ以上の有機ＥＬ照明パネルを直列又は並列に接続するとともに、コネクタ搭載回路基板としてフレキシブル基板を用い、発光面が隙間なく並ぶように配置することも可能である。また、ひとつの有機ＥＬ照明パネルのみを電源９に接続する場合には、その有機ＥＬ照明パネルに短絡ピン８を設置することにより有機ＥＬ照明パネルを点灯させることが可能である。
【０１４６】
なお、本実施例においては、第一コネクタ５及び第二コネクタ６として、表面実装タイプのコネクタを用いる場合を例として説明したが、上述したコネクタ以外の大きさや形状のコネクタを用いることとしてもよく、また、これ以外にも、リード線を用いて接続する方法や、手作業にてハンダにより接続する方法等を用いることも可能である。
また、本実施例においては、短絡ピン８として、例えば広く一般に用いられている２ピンの表面実装用ラッピング端子を用いることができるが、これ以外の方法により電気的に接続するようにしてもよい。
【０１４７】
また、本実施例においては、長方形状の有機ＥＬ照明パネル５１〜５６を用いる場合を例として説明したが、この他にも、正方形状や多角形状や円形状等の有機ＥＬ照明パネルを用いることも可能である。
また、本実施例においては、四つのコンタクトピンを有する第一、第二コネクタ５，６を備えた有機ＥＬ照明パネル５１〜５６を電気的に接続する例を示したが、第一有機ＥＬ照明パネル５１と第１の実施例において説明した二つのコンタクトピンを有する第一、第二コネクタ１，２を備えた有機ＥＬ照明パネル１１を組み合わせる等、異なるコンタクトピン数を有するコネクタを備えた有機ＥＬ照明パネルを接続する構成としてもよい。
【０１４８】
以上説明したように、本実施例に係る有機ＥＬ照明装置によれば、第１〜第４の実施例に係る有機ＥＬ照明装置により奏する作用及び効果に加え、それぞれ第一〜第六有機ＥＬ照明パネル５１〜５６のコネクタ搭載回路基板をフレキシブルプリント基板としたことにより、発光面のみが隙間なく並ぶように第一〜第六有機ＥＬ照明パネル５１〜５６を配列することができる。
【実施例６】
【０１４９】
以下、図２１〜図２４を用いて本発明に係る有機ＥＬ照明装置の第６の実施例について説明する。本実施例は、複数の有機ＥＬ照明パネルを立体的に組み立ててなる有機ＥＬ照明装置の例である。
【０１５０】
図２１，図２２に、有機ＥＬ照明パネルを柱状に立体的に組み立てる例を示す。
図２１，２２に示す有機ＥＬ照明装置は、図１６に示し上述した第５の実施例に係る有機ＥＬ照明装置の第四〜第六有機ＥＬ照明パネル５４〜５６を廃止し、第一〜第三有機ＥＬ照明パネル５１〜５３を三角柱状に組み立てた例である。
【０１５１】
第一〜第三有機ＥＬ照明パネル５１〜５３の構成については図１６〜図２０に示し上述した第５の実施例の第一〜第三有機ＥＬ照明パネル５１〜５３と同様であるので、以下、重複する説明は省略し、同一の部材については同一の符号を用いて説明する。
【０１５２】
図２１，図２２に示すように、本実施例に係る有機ＥＬ照明装置は、第一〜第三有機ＥＬ照明パネル５１〜５３を、その長手方向の相互に隣接する部分が頂点となるように三角柱状に組み立てたものである。
本実施例において、発光面５１ｅ〜５３ｅの外側の第一コネクタ及び第二コネクタが設けられた部分は、例えば発光面５１ｅ〜５３ｅとは反対側に変形させ、中空部分へ折り込むことによって発光面５１ｅ〜５３ｅのみが表面に露出した有機ＥＬ照明装置を構成することができる。
以上が、図２１及び図２２に示す有機ＥＬ照明装置の構成についての説明である。
【０１５３】
次に、図２３，図２４に二つの有機ＥＬ照明パネルを立体的かつ可動に連結する例を示す。
図２３，図２４に示す有機ＥＬ照明装置は、図１６に示し上述した第５の実施例に係る有機ＥＬ照明装置の第三〜第六有機ＥＬ照明パネル５３〜５６を廃止して、第一、第二有機ＥＬ照明パネル５１，５２を、第一コネクタ５、第二コネクタ６を設けた部分が突き合わされるように直列に接続して上面視くの字状に立体的に組み立てた例である。
第一、第二有機ＥＬ照明パネル５１，５２の構成については図１６〜図２０に示し上述した第５の実施例の第一、第二有機ＥＬ照明パネル５１，５２と同様であるので、以下、重複する説明は省略し、同一の部材については同一の符号を用いて説明する。
【０１５４】
図２３に示すように、本実施例に係る有機ＥＬ照明装置において、第一有機ＥＬ照明パネル５１の第二コネクタ側第一陰極用コンタクトピン６ｂは第二有機ＥＬ照明パネル５２の第一コネクタ側第二陽極用コンタクトピン５ｂと電気的に接続されている。
第一有機ＥＬ照明パネル５１の第二コネクタ側コンタクトピン６ｄは第二有機ＥＬ照明パネル５２の第一コネクタ側コンタクトピン５ｄと電気的に接続されている。
第二有機ＥＬ照明パネル５２の第二コネクタ側陽極用コンタクトピン６ａは電極９の陽極と電気的に接続されている。
第二有機ＥＬ照明パネル５２の第二コネクタ側コンタクトピン６ｄは電極９の陰極と電気的に接続されている。
そして、第一有機ＥＬ照明パネル５１には短絡ピン８が設置されている。
【０１５５】
さらに、本実施例においては、図２４に示すように、発光面５１ｅ，５２ｅ同士が相互に接するように第一有機ＥＬ照明パネル５１及び第二有機ＥＬ照明パネル５２それぞれの発光面５１ｅ，５２ｅの外側の第一コネクタ５、第二コネクタ６が設けられた部分を変形させている。すなわち、本実施例に係る有機ＥＬ照明装置においては、第一有機ＥＬ照明パネル５１と第二有機ＥＬ照明パネル５２との交角を可変とするような可動式の装置を構成することも可能となる。
以上が、図２３及び図２４に示す有機ＥＬ照明装置の構成についての説明である。
【０１５６】
以上、本実施例においては、第５の実施例において説明した有機ＥＬ照明パネル５１，５２，５３を立体的に組み立ててなる有機ＥＬ照明装置の例を示したが、第１〜第４の実施例において説明した有機ＥＬ照明パネルを立体的に組み立ててもよく、また、四つ以上の有機ＥＬ照明パネルを多角柱状、屏風状ほかさまざまな形状に立体的に組み立てることが可能である。
【０１５７】
また、本実施例においては、長方形状の有機ＥＬ照明パネル５１〜５３を用いる場合を例として説明したが、この他にも、正方形状や多角形状や円形状等の有機ＥＬ照明パネルを用いることも可能である。
また、本実施例においては、四つのコンタクトピンを有する第一、第二コネクタ５，６を備えた有機ＥＬ照明パネル５１〜５３同士を電気的に接続する例を示したが、第一有機ＥＬ照明パネル５１と第１の実施例において説明した二つのコンタクトピンを有する第一、第二コネクタ１，２を備えた有機ＥＬ照明パネル１１を組み合わせる等、異なるコンタクトピン数を有するコネクタを備えた有機ＥＬ照明パネルを接続する構成としてもよい。
【０１５８】
以上に説明したように、本実施例に係る有機ＥＬ照明装置によれば、第一〜第三有機ＥＬ照明パネル５１〜５３にそれぞれ第一、第二コネクタ５，６を設け、各コネクタ５，６間をケーブル６０により接続する方式としたため、有機ＥＬ照明装置を立体的な構造とすることができる。
さらに、本実施例においては、コネクタ搭載回路基板としてフレキシブルプリント基板を用いたため、発光面５１ｅ，５２ｅ，５３ｅの外側の部分を変形させて視界から隠すことができ、見栄えを向上させることができる。
【産業上の利用可能性】
【０１５９】
本発明は、例えば、有機ＥＬ照明パネルの電気的接続に利用することが可能である。
【符号の説明】
【０１６０】
１  第一コネクタ
１ａ  第一コネクタ側陽極用コンタクトピン
１ｂ  第一コネクタ側コンタクトピン
２  第二コネクタ
２ａ  第二コネクタ側陰極用コンタクトピン
２ｂ  第二コネクタ側コンタクトピン
３  第一コネクタ
３ａ  第一コネクタ側第一陽極用コンタクトピン
３ｂ  第一コネクタ側第二陽極用コンタクトピン
３ｃ  第一コネクタ側コンタクトピン
４  第二コネクタ
４ａ  第二コネクタ側陽極用コンタクトピン
４ｂ  第二コネクタ側陰極用コンタクトピン
４ｃ  第二コネクタ側コンタクトピン
５  第一コネクタ
５ａ  第一コネクタ側第一陽極用コンタクトピン
５ｂ  第一コネクタ側第二陽極用コンタクトピン
５ｃ  第一コネクタ側陰極用コンタクトピン
５ｄ  第一コネクタ側コンタクトピン
６  第二コネクタ
６ａ  第二コネクタ側陽極用コンタクトピン
６ｂ  第二コネクタ側第一陰極用コンタクトピン
６ｃ  第二コネクタ側第二陰極用コンタクトピン
６ｄ  第二コネクタ側コンタクトピン
７  コンタクトピン間接続線
８  短絡ピン
９  電源
１１〜１３  第一〜第三有機ＥＬ照明パネル
１１ａ〜１３ａ  有機ＥＬ素子
１１ｂ〜１３ｂ  陽極電極端子
１１ｃ〜１３ｃ  陰極電極端子
１１Ａ  有機ＥＬ照明パネル本体
１１Ｂ  コネクタ搭載回路基板
２１〜２３  第一〜第三有機ＥＬ照明パネル
２１ａ〜２３ａ  有機ＥＬ素子
２１ｂ〜２３ｂ  陽極電極端子
２１ｃ〜２３ｃ  陰極電極端子
３１〜３８  第一〜第八有機ＥＬ照明パネル
３１ａ〜３８ａ  有機ＥＬ素子
３１ｂ〜３８ｂ  陽極電極端子
３１ｃ〜３８ｃ  陰極電極端子
４１〜４５  第一〜第五有機ＥＬ照明パネル
４１ａ〜４５ａ  有機ＥＬ素子
４１ｂ〜４５ｂ  陽極電極端子
４１ｃ〜４５ｃ  陰極電極端子
５１〜５６  第一〜第六有機ＥＬ照明パネル
５１ａ〜５６ａ  有機ＥＬ素子
５１ｂ〜５６ｂ  陽極電極端子
５１ｃ〜５６ｃ  陰極電極端子
６０  ケーブル
６１  第１のケーブル側コネクタ
６２  第２のケーブル側コネクタ
６１ａ，６１ｂ，６２ａ，６２ｂ  電極
６３  配線
【図１】
0005759821.tif 000002
【図２】
0005759821.tif 000003
【図３】
0005759821.tif 000004
【図４】
0005759821.tif 000005
【図５】
0005759821.tif 000006
【図６】
0005759821.tif 000007
【図７】
0005759821.tif 000008
【図８】
0005759821.tif 000009
【図９】
0005759821.tif 000010
【図１０】
0005759821.tif 000011
【図１１】
0005759821.tif 000012
【図１２】
0005759821.tif 000013
【図１３】
0005759821.tif 000014
【図１４】
0005759821.tif 000015
【図１５】
0005759821.tif 000016
【図１６】
0005759821.tif 000017
【図１７】
0005759821.tif 000018
【図１８】
0005759821.tif 000019
【図１９】
0005759821.tif 000020
【図２０】
0005759821.tif 000021
【図２１】
0005759821.tif 000022
【図２２】
0005759821.tif 000023
【図２３】
0005759821.tif 000024
【図２４】
0005759821.tif 000025